(57)【要約】【課題】空気中に飛散や浮遊している塵埃を電気掃除機により集塵することができるようにすると共に、掃除中に床面の塵埃が飛散することを防止して、掃除の手間を簡略化することができる電気掃除機を提供することを課題とする。【解決手段】掃除機本体１と、掃除機本体１内に空気を吸引する電動送風機２と、電動送風機２により掃除機本体１内に吸引された空気から塵埃を除去する集塵装置４と、集塵装置４により塵埃が除去された空気が排気流路１３，１４を介して掃除機本体１外へ排気される排気口１４，１６とを備え、掃除機本体１内には、掃除機本体１外にミスト１８を供給するためのミスト発生装置６を備える。【選択図】         図１
2005185414.tif 000002
【特許請求の範囲】
【請求項１】
掃除機本体と、掃除機本体内に空気を吸引する電動送風機と、電動送風機により掃除機本体内に吸引された空気から塵埃を除去する集塵装置と、集塵装置により塵埃が除去された空気が排気流路を介して掃除機本体外へ排気される排気口とを備え、前記掃除機本体内には、掃除機本体外にミストを供給するためのミスト発生装置が備えられていることを特徴とする電気掃除機。
【請求項２】
前記ミスト発生装置から発生するミストは、排気口から排気される排気風により掃除機本体外に放出されることを特徴とする請求項１記載の電気掃除機。
【請求項３】
前記排気流路は、通常の排気を行うための第１排気流路と、ミストを掃除機本体外へ放出させるための第２排気流路とから構成され、第２排気流路は第１排気流路より狭くなるように形成されていることを特徴とする請求項２記載の電気掃除機。
【請求項４】
前記排気流路は、通常の排気を行うための第１排気流路と、ミストを掃除機本体外へ放出させるための第２排気流路とから構成されると共に、第１排気流路あるいは第２排気流路の何れか一方を選択的に閉塞する流路切換手段が配設されていることを特徴とする請求項２記載の電気掃除機。
【請求項５】
前記排気口は、掃除機本体の一側面に形成されていることを特徴とする請求項２乃至請求項４の何れか１項に記載の電気掃除機。
【請求項６】
前記第２排気流路に形成された第２排気口は、第１排気流路に形成された第１排気口の略上方位置に配設されていることを特徴とする請求項５記載の電気掃除機。
【請求項７】
前記排気口は、上向きに形成されていることを特徴とする請求項２乃至請求項６の何れか１項に記載の電気掃除機。
【請求項８】
前記ミスト発生装置から発生するミストより上流側の排気流路には、フィルターが配設されていることを特徴とする請求項１乃至請求項７の何れか１項に記載の電気掃除機。
【請求項９】
前記電気掃除機は、掃除機本体外にミストを供給するためのミスト放出モードを備えていることを特徴とする請求項１乃至請求項８の何れか１項に記載の電気掃除機。
【発明の詳細な説明】
【技術分野】
【０００１】
本発明は、電気掃除機に関し、特に、ミスト発生装置を備えた電気掃除機に関する。
【背景技術】
【０００２】
従来の電気掃除機としては、床面に落下している塵埃を掃除機本体内に吸引して掃除機本体内に配設された集塵装置において塵埃を除去し、塵埃が除去された空気を掃除機本体外に排気するものが知られている。（例えば、特許文献１参照）。
【特許文献１】特開平９−８４７２６号公報
【発明の開示】
【発明が解決しようとする課題】
【０００３】
しかしながら、空気中に飛散や浮遊している塵埃や掃除中の掃除機本体からの排気風等により床面から空気中に飛散した塵埃は電気掃除機により集塵することができない。従って、床面を掃除したにも関わらず掃除終了後に床面に落下するため、空気中に飛散や浮遊していた塵埃を再度掃除する必要が生じ、掃除に手間を要してしまう欠点があった。
【０００４】
本発明はこのような課題を解決するものであり、空気中に飛散や浮遊している塵埃を電気掃除機により集塵することができるようにすると共に、掃除中に床面の塵埃が飛散することを防止して、掃除の手間を簡略化することができる電気掃除機を提供することを課題とする。
【課題を解決するための手段】
【０００５】
上記課題を解決するための手段は、掃除機本体と、掃除機本体内に空気を吸引する電動送風機と、電動送風機により掃除機本体内に吸引された空気から塵埃を除去する集塵装置と、集塵装置により塵埃が除去された空気が排気流路を介して掃除機本体外へ排気される排気口とを備え、前記掃除機本体内には、掃除機本体外にミストを供給するためのミスト発生装置が備えられていることを特徴とする。
【０００６】
上記課題を解決するための手段において、前記ミスト発生装置から発生するミストは、排気口から排気される排気風により掃除機本体外に放出されてもよい。
【０００７】
また、前記排気流路は、通常の排気を行うための第１排気流路と、ミストを掃除機本体外へ放出させるための第２排気流路とから構成され、第２排気流路は第１排気流路より狭くなるように形成されてもよい。
【０００８】
また、前記排気流路は、通常の排気を行うための第１排気流路と、ミストを掃除機本体外へ放出させるための第２排気流路とから構成されると共に、第１排気流路あるいは第２排気流路の何れか一方を選択的に閉塞する流路切換手段が配設されてもよい。
【０００９】
また、前記排気口は、掃除機本体の一側面に形成されてもよい。
【００１０】
また、前記第２排気流路に形成された第２排気口は、第１排気流路に形成された第１排気口の略上方位置に配設されてもよい。
【００１１】
また、前記排気口は、上向きに形成されてもよい。
【００１２】
また、前記ミスト発生装置から発生するミストより上流側の排気流路には、フィルター
が配設されてもよい。
【００１３】
また、前記電気掃除機は、掃除機本体外にミストを供給するためのミスト放出モードを備えてもよい。
【発明の効果】
【００１４】
本発明の請求項１の構成によると、空気中に飛散または浮遊している塵埃をミストにより床面に落下させることができると共に、床面に落下している塵埃をミストにより空気中に飛散させることを防止できるため、床面を掃除するだけで部屋中を綺麗に掃除することができる等の効果を奏する。
【００１５】
本発明の請求項２の構成によると、電動送風機の排気風を利用して掃除機本体外にミストを放出させることができるため、ミスト発生装置に送風手段を設ける必要がなく構成を簡素化することができる等の効果を奏する。
【００１６】
本発明の請求項３の構成によると、第２排気流路は狭く形成され、第２排気流路を流れる風量を少なくすることができるため、第２排気流路内に塵埃が付着することを抑制することができ、第２排気流路に付着した塵埃にミストが付着することによる掃除機本体からのミスト放出量の低下を抑制することができる等の効果を奏する。
【００１７】
本発明の請求項４の構成によると、第２排気流路内に塵埃が付着することを防いで、第２排気流路に付着した塵埃にミストが付着することによる掃除機本体からのミスト放出量の低下を防止することができる等の効果を奏する。
【００１８】
本発明の請求項５の構成によると、第２排気口の上方は開放されていないため、第２排気口の近傍に塵埃が堆積することはなく、堆積した塵埃による掃除機本体外へのミストの放出量の低下を防止することができる等の効果を奏する。
【００１９】
本発明の請求項６の構成によると、第２排気口の下方位置には上方に向けて開口する第１排気口が形成されているため、第２排気口から放出されるミストは第１排気口からの排気によっても拡散させることができるため、簡単な構成によりミストを部屋全体に効率よく拡散させることができる等の効果を奏する。
【００２０】
本発明の請求項７の構成によると、第２排気口は上向きに形成されているため、ミストを効率よく部屋中に放出させることができる等の効果を奏する。
【００２１】
本発明の請求項８の構成によると、ミスト発生装置より上流側にフィルターを配設することにより、電動送風機を通過した空気中に含まれていた塵埃に、ミスト発生装置から発生したミストが付着してしまうことによる掃除機本体外に放出されるミスト量の減少を防止することができる等の効果を奏する。
【００２２】
本発明の請求項９の構成によると、ミスト放出モードを選択することにより部屋中にミストが放出されるため、簡単な構成により空気中に飛散または浮遊している塵埃を床面に落下させることができると共に、床面に落下している塵埃が空中に飛散することを防止することができる等の効果を奏する。
【発明を実施するための最良の形態】
【００２３】
（第１実施形態）
本発明に係る電気掃除機を実施するための最良の第１実施形態を図１乃至図３に基づいて説明する。
【００２４】
第１実施形態の電気掃除機は、掃除機本体１内に空気を吸引する電動送風機２と、電動送風機２により掃除機本体１内に吸引された空気から塵埃を集塵するための集塵室３と、集塵室３内に装着され、塵埃を集塵する紙パック４と、集塵室３内に紙パック４を装着するための紙パックホルダー５と、ミスト１８を発生させるミスト発生装置６と、掃除機本体１移動用の車輪７とから構成されている（図１参照）。
【００２５】
掃除機本体１の上部には、集塵室３の上方を開閉自在に閉塞する蓋体８が開閉自在に設けられている。掃除機本体１の下部には、掃除機本体１を床面に置いた状態で移動できるように車輪７が設けられている。掃除機本体１の前面には、吸込口９が開口されており、吸込口９に図示しない床用吸込具に連通するホース１０が接続されている。集塵室３の下流側の内壁面には、電動送風機２に連通する連通口１１が形成されている（図１参照）。
【００２６】
電動送風機２より下流側は、第１排気流路１２と、第１排気流路１２より流路を狭くした第２排気流路１３とに分流されている。第１排気流路１２は掃除機本体１の後側面に形成された第１排気口１４に連通している。第１排気口１４は上方へ向けて開口しており、第１排気口１４の上流側には第１フィルター１５が配設されている。第２排気流路１３は掃除機本体１の後上面に形成された上方開口の第２排気口１６に連通している。第２排気流路１３の上流側には第２フィルター１７が配設されている。第２フィルター１７と第２排気口１６との間の第２排気流路１３には、ミスト発生装置６により生成されたミスト１８を放出するミスト発生部１９が臨んでいる（図１参照）。
【００２７】
掃除をする際に、図示しない操作部を操作すると電動送風機２が作動し、電動送風機２により吸込口９を介して集塵室３内に吸引された空気は紙パック４により除塵され、電動送風機２を通過する際に電動送風機２を冷却した後、第１排気口１４及び第２排気口１６を介して掃除機本体１外に排気される。
【００２８】
図示しない操作部には掃除をする前に部屋中にミスト１８を放出するためのミスト放出モードが設けられている。ミスト放出モードを選択すると、電動送風機２は弱運転を行うと共に、ミスト発生装置６が作動して図１及び図３に示すように第２排気口１６を介して部屋中にミスト１８が放出される。部屋中に放出されたミスト１８は空気中に飛散または浮遊している塵埃２０に付着する。そして、ミスト１８が付着した塵埃２０は重くなるため床面に落下する（図３参照）。床面に落下するミスト１８が付着した塵埃２０は、ミスト１８が乾燥するまでの間は再度空中に飛散することはない。床面に落下している塵埃にも空気中の塵埃２０と同様にミスト１８が付着するため、ミスト１８が乾燥するまでの間は空中に飛散することはない。
【００２９】
ミスト放出モードを選択してから所定時間経過（第１実施形態では略５分）すると操作部を操作して通常の掃除を行う。この時、空気中に飛散または浮遊している塵埃２０はミスト１８により床面に落下していると共に、床面に落下している塵埃はミスト１８により空気中に飛散する虞がないため、床面を掃除するだけで部屋中を綺麗に掃除することができる。また、掃除終了後に床面に落下する空気中に飛散や浮遊していた塵埃２０を再度掃除する必要がないため掃除の手間を簡略化することができる。
【００３０】
ミスト放出モードを選択した際、電動送風機２を弱運転させている理由は騒音をなるべく低くするためであり、この騒音が気にならない人は強運転に切換えることができるようになっている。第２排気流路１３のミスト発生部１９より上流側に第２フィルター１７を配設することにより、電動送風機２を通過した空気中に含まれていた塵埃に、ミスト発生装置６から発生したミスト１８が付着してしまうことによる掃除機本体１外に放出されるミスト量の減少を防止することができる。
【００３１】
第２排気口１６は上向きに形成されているため、ミスト１８を効率よく部屋中に放出させることができる。また、電動送風機２の排気風を利用して掃除機本体１外にミスト１８を放出させることができるため、ミスト発生装置６に送風手段を設ける必要がなく構成を簡素化することができる。さらに、第２排気流路１３は狭く形成され、第２排気流路１３を流れる風量を少なくすることができるため、塵埃を吸引し紙パック４を通過した空気が流れることにより第２排気流路１３内に塵埃が付着することを抑制することができ、第２排気流路１３に付着した塵埃にミスト１８が付着することによる掃除機本体１からのミスト１８放出量の低下を抑制することができる。
【００３２】
尚、第１実施形態では、電動送風機＊による排気風を利用してミスト１８を掃除機本体１外に放出させたがこの構成に限定されるものではない。ミスト発生装置６に送風機能を具備させてミスト１８を掃除機本体１外に放出させる構成にしてもよい。
【００３３】
（第２実施形態）
図４及び図５は本発明に係る電気掃除機の第２実施形態を示している。尚、第１実施形態と同一部品については、同一符号を付して説明を省略する。
【００３４】
第１実施形態では、電動送風機２による排気風を第１排気口１４及び第２排気口１６から同時に排気させたが、第２実施形態では、流路切換手段を構成するルーバー２１により第１排気流路１２あるいは第２排気流路１３の何れか一方を選択的に閉塞する構成になっている。
【００３５】
図４に示すように電動送風機２からの排気は第２フィルター１７を通過するようになっている。第２フィルター１７を通過した電動送風機２からの排気は第１排気流路１２及び第２排気流路１３に連通可能になっている。第１排気流路１２と第２排気流路１３との略中間位置には、第１排気流路１２あるいは第２排気流路１３の何れか一方を選択的に閉塞するルーバー２１が回動自在に配設されている。ルーバー２１は図示しないモーターにより回動するようになっている。通常は第２排気流路１３を閉塞する位置に保持されている。
【００３６】
ミスト放出モードを選択すると、電動送風機２は弱運転を行い、ルーバー２１が第１排気流路１２を閉塞する位置に回動すると供に、ミスト発生装置６が作動して図４に示すように第２排気口１６を介して部屋中にミスト１８が放出される。ミスト放出モードを選択してから所定時間経過すると操作部を操作して通常の掃除を行う。この時、ルーバー２１は第２排気流路１３を閉塞する位置に回動する。この結果、第２排気流路１３には塵埃を吸引し紙パック４を通過した空気が流れないため、ミスト発生部１９等の第２排気流路１３内に塵埃が付着することを防いで、第２排気流路１３に付着した塵埃にミスト１８が付着することによる掃除機本体１からのミスト１８放出量の低下を防止することができる（図５参照）。
【００３７】
（第３実施形態）
図６乃至図８は、本発明に係る電気掃除機の第３実施形態を示している。尚、第１実施形態または第２実施形態と同一部品については、同一符号を付して説明を省略する。第１実施形態では、掃除機本体１の後上面に上方開口の第２排気口１６を形成したが、第３実施形態では、第１排気口１４の上方の掃除機本体１の側面に第２排気口１６ａを形成している。第１排気口１４及び第２排気口１６ａは共に上方に向けて傾斜させている（図６参照）。
【００３８】
第２排気口１６ａの上方は開放されていないため、第２排気口１６ａの近傍に空気中の
塵埃２０が堆積することはなく、堆積した塵埃による掃除機本体１外へのミスト１８の放出量低下を防止することができる。また、第２排気口１６ａの下方位置には上方に開口する第１排気口１４が形成されているため、図８に示すように第２排気口１６ａから放出されるミスト１８は第１排気口１４からの排気によっても拡散させることができるため、簡単な構成によりミスト１８を部屋全体に効率よく拡散させることができる。
【図面の簡単な説明】
【００３９】
【図１】本発明の第１実施形態の電気掃除機本体の側断面図で、ミストを放出している状態を示す。
【図２】同電気掃除機本体の上面図である。
【図３】同電気掃除機本体の側断面図で、部屋内にミストを放出している状態を示す。
【図４】本発明の第２実施形態の電気掃除機本体の側断面図で、ミストを放出している状態を示す。
【図５】同電気掃除機本体の側断面図で、通常の掃除を行っている状態を示す。
【図６】本発明の第３実施形態の電気掃除機本体の側断面図で、ミストを放出している状態を示す。
【図７】同電気掃除機本体の上面図である。
【図８】同電気掃除機本体の側断面図で、部屋内にミストを放出している状態を示す。
【符号の説明】
【００４０】
１    掃除機本体
２    電動送風機
３    集塵室
４    紙パック
５    紙パックホルダー
６    ミスト発生装置
１２  第１排気流路
１３  第２排気流路
１４  第１排気口
１６  第２排気口
【図１】
2005185414.tif 000003
【図２】
2005185414.tif 000004
【図３】
2005185414.tif 000005
【図４】
2005185414.tif 000006
【図５】
2005185414.tif 000007
【図６】
2005185414.tif 000008
【図７】
2005185414.tif 000009
【図８】
2005185414.tif 000010